【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
印刷装置の識別情報の入力をユーザから受け付ける受付手段と、
前記識別情報に基づいて前記印刷装置との接続が可能であるかどうか判定する判定手段と、
前記判定手段によって前記印刷装置との接続が可能であると判定されたことに少なくとも従って、ＮＦＣタグに前記識別情報に基づくデータを少なくとも含むタグデータを近接無線通信を用いて書き込む書き込み手段と、
を有することを特徴とする情報処理装置。
【請求項２】
前記受付手段が入力を受け付ける識別情報には、少なくとも印刷装置のＩＰアドレスが含まれていることを特徴とする請求項１に記載の情報処理装置。
【請求項３】
前記判定手段は、前記識別情報に基づいて前記印刷装置との間で接続テストを行い、前記印刷装置との接続が可能であるかどうか判定することを特徴とする請求項１に記載の情報処理装置。
【請求項４】
前記判定手段は、前記ＩＰアドレスに対して前記近接無線通信とは異なる通信方式で接続を行い、装置の存在を確認できたことに少なくとも従って、前記印刷装置との接続が可能であると判定することを特徴とする請求項２に記載の情報処理装置。
【請求項５】
前記受付手段によって入力を受け付けた前記識別情報に基づいて前記ＮＦＣタグに書き込む前記タグデータを生成する生成手段を、更に備えることを特徴とする請求項１乃至４のいずれか１項に記載の情報処理装置。
【請求項６】
前記受付手段は、更にアプリケーションの起動に関する設定をユーザから受け付け、
前記生成手段は、前記アプリケーションの起動に関する設定がなされている場合は、前記識別情報に基づくデータと、起動すべきアプリケーションを示すデータとを少なくとも含むタグデータを生成することを特徴とする請求項５に記載の情報処理装置。
【請求項７】
前記受付手段は、更に、前記ＮＦＣタグに書き込むタグデータに無線接続に関する情報を含めるか否かの設定の入力をユーザから受け付け、
前記生成手段は、前記受付手段によって無線接続に関する情報を含める設定がなされたことに少なくとも従って、少なくとも前記識別情報に基づくデータと前記無線接続のためのアクセスポイントに対応するデータを含むタグデータを生成することを特徴とする請求項５に記載の情報処理装置。
【請求項８】
前記ＮＦＣタグから近接無線通信を用いてタグデータを読み取る読み取り手段を、更に備えることを特徴とする請求項１乃至７のいずれか１項に記載の情報処理装置。
【請求項９】
前記判定手段によって前記印刷装置との接続が可能であると判定され、尚且つ、書き込みを行うユーザ指示を受け付けたことに少なくとも従って、前記情報処理装置を前記ＮＦＣタグにタッチすることをユーザに促す通知を表示する表示手段を、更に有することを特徴とする請求項１乃至８のいずれか１項に記載の情報処理装置。
【請求項１０】
前記表示手段は、前記判定手段によって前記印刷装置との接続が可能でないと判定されたことに従って、所定の通知を表示することを特徴とする請求項９に記載の情報処理装置。
【請求項１１】
前記所定の通知は、エラー通知であることを特徴とする請求項１０に記載の情報処理装置。
【請求項１２】
前記表示手段は、更に、前記書き込み手段によって前記ＮＦＣタグに前記タグデータの書き込みが成功したことに従って書き込みが完了したことを示す通知を表示し、前記書き込み手段によって前記ＮＦＣタグに前記タグデータの書き込みが失敗したことに従って書き込みが失敗したことを示す通知を表示することを特徴とする請求項９乃至１１のいずれか１項に記載の情報処理装置。
【請求項１３】
情報処理装置の制御方法であって、
印刷装置の識別情報の入力をユーザから受け付ける受付ステップと、
前記識別情報に基づいて前記印刷装置との接続が可能であるかどうか判定する判定ステップと、
前記判定ステップで前記印刷装置との接続が可能であると判定されたことに少なくとも従って、ＮＦＣタグに前記識別情報に基づくデータを少なくとも含むタグデータを近接無線通信を用いて書き込む書き込みステップと、
を有することを特徴とする情報処理装置の制御方法。
【請求項１４】
前記受付ステップで入力を受け付ける識別情報には、少なくとも印刷装置のＩＰアドレスが含まれていることを特徴とする請求項１３に記載の制御方法。
【請求項１５】
前記判定ステップは、前記識別情報に基づいて印刷装置との間で接続テストを行い、前記印刷装置との接続が可能であるかどうか判定することを特徴とする請求項１３又は１４に記載の制御方法。
【請求項１６】
前記判定ステップは、前記ＩＰアドレスに対して前記近接無線通信とは異なる通信方式で接続を行い、装置の存在を確認できたことに少なくとも従って、前記印刷装置との接続が可能であると判定することを特徴とする請求項１４に記載の制御方法。
【請求項１７】
前記受付ステップで入力を受け付けた前記識別情報に基づいて前記ＮＦＣタグに書き込む前記タグデータを生成する生成ステップを、更に備えることを特徴とする請求項１３乃至１６のいずれか１項に記載の制御方法。
【請求項１８】
前記受付ステップは、更にアプリケーションの起動に関する設定をユーザから受け付け、
前記生成ステップは、前記アプリケーションの起動に関する設定がなされている場合は、前記識別情報に基づくデータと、起動すべきアプリケーションを示すデータとを少なくとも含むタグデータを生成することを特徴とする請求項１７に記載の制御方法。
【請求項１９】
前記受付ステップは、更に、前記ＮＦＣタグに書き込むタグデータに無線接続に関する情報を含めるか否かの設定の入力をユーザから受け付け、
前記生成ステップは、前記受付ステップで無線接続に関する情報を含める設定がなされたことに従って、少なくとも前記識別情報に基づくデータと前記無線接続のためのアクセスポイントに対応するデータを含むタグデータを生成することを特徴とする請求項１７に記載の制御方法。
【請求項２０】
前記ＮＦＣタグから近接無線通信を用いてタグデータを読み取る読み取りステップを、更に備えることを特徴とする請求項１３乃至１９のいずれか１項に記載の制御方法。
【請求項２１】
前記判定ステップで前記印刷装置との接続が可能であると判定され、且つ、書き込みを行うユーザ指示を受け付けたことに少なくとも従って、前記情報処理装置を前記ＮＦＣタグにタッチすることをユーザに促す通知を表示する表示ステップを、更に有することを特徴とする請求項１３乃至２０のいずれか１項に記載の制御方法。
【請求項２２】
前記表示ステップは、前記判定ステップで前記印刷装置との接続が可能でないと判定されたことに従って、所定の通知を表示することを特徴とする請求項２１に記載の制御方法。
【請求項２３】
前記所定の通知は、エラー通知であることを特徴とする請求項２２に記載の制御方法。
【請求項２４】
前記書き込みステップで前記ＮＦＣタグに前記タグデータの書き込みが成功したことに従って書き込みが完了したことを示す通知を表示し、前記書き込みステップによって前記ＮＦＣタグに前記タグデータの書き込みが失敗したことに従って書き込みが失敗したことを示す通知を表示する第２の表示ステップを、更に有することを特徴とする請求項１３乃至２３のいずれか１項に記載の制御方法。
【請求項２５】
情報処理装置の制御方法であって、
印刷装置の識別情報の入力をユーザから受け付ける受付ステップと、
前記識別情報に基づいて前記印刷装置との接続が可能であるかどうか判定する判定ステップと、
前記判定ステップで前記印刷装置との接続が可能でないと判定されたことに従って、前記識別情報をＮＦＣタグに書き込むユーザ指示を受け付けたとしても、前記ＮＦＣタグにタグデータを書き込むことなく、所定のエラー通知を表示する表示ステップと、
を有することを特徴とする制御方法。
【請求項２６】
請求項１３乃至２５のいずれか１項に記載の情報処理装置の制御方法の各ステップをコンピュータに実行させるためのプログラム。
【請求項２７】
前記プログラムは、情報処理装置にインストール可能なアプリケーションプログラムであることを特徴とする請求項２６に記載のプログラム。
【手続補正２】
【補正対象書類名】明細書
【補正対象項目名】０００６
【補正方法】変更
【補正の内容】
【０００６】
本発明の目的は、通信に利用する情報をＮＦＣタグに書き込む際に、ユーザの入力ミスが発生するのを防止できる技術を提供することにある。
【手続補正３】
【補正対象書類名】明細書
【補正対象項目名】０００７
【補正方法】変更
【補正の内容】
【０００７】
上記目的を達成するために本発明の一態様に係る情報処理装置は以下のような構成を備える。即ち、
印刷装置の識別情報の入力をユーザから受け付ける受付手段と、
前記識別情報に基づいて前記印刷装置との接続が可能であるかどうか判定する判定手段と、
前記判定手段によって前記印刷装置との接続が可能であると判定されたことに少なくとも従って、ＮＦＣタグに前記識別情報に基づくデータを少なくとも含むタグデータを近接無線通信を用いて書き込む書き込み手段と、を有することを特徴とする。
【手続補正４】
【補正対象書類名】明細書
【補正対象項目名】０００８
【補正方法】変更
【補正の内容】
【０００８】
本発明によれば、通信に利用する情報をＮＦＣタグに書き込む際に、ユーザの入力ミスが発生するのを防止できるという効果がある。